(57)【要約】  本発明は、システム間ポリシーの使用方法、ＵＥ、及びコンピュータ記憶媒体を開示し、第１システムがトラフィックを処理するとき、第１システムに適用される第１ＵＥポリシーを使用するステップと、第２システムがトラフィックを処理するとき、第２システムに適用されるＵＥポリシーを使用するステップとを含み、前記第２システムに適用されるＵＥポリシーは、第１システムに適用される第１ＵＥポリシーと同じＵＥに適用される。
2021518073.tif 000002
【特許請求の範囲】
【請求項１】
システム間ポリシーの使用方法であって、
第１システムでトラフィックを処理するとき、第１システムに適用される第１ユーザ機器（ＵＥ）ポリシーを使用するステップと、第２システムでトラフィックを処理するとき、第２システムに適用されるＵＥポリシーを使用するステップとを含み、
前記第２システムに適用されるＵＥポリシーは、第１システムに適用される第１ＵＥポリシーと同じＵＥに適用される、前記システム間ポリシーの使用方法。
【請求項２】
前記第２システムに適用されるＵＥポリシーは第２ＵＥポリシーであり、
前記第２ＵＥポリシーと前記第１ＵＥポリシーのパラメータはそれぞれ独立して定義される、
請求項１に記載のシステム間ポリシーの使用方法。
【請求項３】
前記第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある、
請求項１に記載のシステム間ポリシーの使用方法。
【請求項４】
前記第２ＵＥポリシーには、専用コアネットワーク（ＤＣＮ）識別子及びアクセスポイント名（ＡＰＮ）が構成され、
前記第１ＵＥポリシーのＤＣＮ識別子は前記第１ＵＥポリシーの単一ネットワークスライス選択支援情報（Ｓ−ＮＳＳＡＩ）に対応し、前記第２ＵＥポリシーのＡＰＮは前記第１ＵＥポリシーのＤＮＮに対応する、
請求項３に記載のシステム間ポリシーの使用方法。
【請求項５】
前記システム間ポリシーの使用方法は、
前記ＵＥが、第１システム上でネットワーク側によって構成される第１ＵＥポリシーを取得するとき、前記ＵＥに対してネットワーク側によって送信された第２システムに適用される第２ＵＥポリシーを取得するステップをさらに含む、
請求項２又は３に記載のシステム間ポリシーの使用方法。
【請求項６】
前記システム間ポリシーの使用方法は、
前記ＵＥが第２システムでアクセスされるとき、ネットワーク側によって配信された第２ＵＥポリシーを受信するステップをさらに含む、
請求項２又は３に記載の方法。
【請求項７】
前記第２システムに適用される、構成されたポリシーは前記第１ＵＥポリシーと同じである、
請求項１に記載の方法。
【請求項８】
前記第２システムに適用される、構成されたポリシーは前記第１ＵＥポリシーと部分的に同じである、
請求項１に記載の方法。
【請求項９】
第２システムに適用されるＵＥポリシーは、前記ＤＮＮ及び／又はＳ−ＮＳＳＡＩパラメータが第１システムの前記第１ＵＥポリシーと異なる以外、ほかのパラメータは前記第１ＵＥポリシーと同じであり、
及び、前記第１システムに適用される第１ＵＥポリシーのＤＮＮは第２システムのＵＥポリシーのＡＰＮに対応し、第１システムに適用される第１ＵＥポリシーのＳ−ＮＳＳＡＩは第２システムのＵＥポリシーのＤＣＮ識別子に対応し、且つ第２システムに適用されＵＥポリシーのＡＰＮと第１ＵＥポリシーのＤＮＮとの間のマッピング関係及び／又は第２システムに適用されるＤＣＮ識別子と第１ＵＥポリシーのＳ−ＮＳＳＡＩとのマッピング関係を構成する、請求項８に記載の方法。
【請求項１０】
前記ＵＥが第２システムに接続されるとき、第２ＵＥポリシーを使用するステップをさらに含む、請求項２に記載の方法。
【請求項１１】
前記ＵＥが第２システムに接続プロセスを介して接続されるとき、第２システムは接続確認メッセージを介して前記第２ＵＥポリシーを受信するをさらに含む、請求項１０に記載の方法。
【請求項１２】
前記ＵＥが第１システムで登録されるとき、第１ＵＥポリシーを用いて処理するステップをさらに含む、請求項１に記載の方法。
【請求項１３】
前記ＵＥがＰＤＵセッションの作成を完了すると、前記ＰＤＵセッションとＰＤＮ接続との対応関係を記憶するステップをさらに含む、請求項１に記載の方法。
【請求項１４】
前記ＵＥが第１システムから第２システムに切り替えるとき、前記ＵＥは、第１システムの第１ＵＥポリシーに対応するＰＤＵセッションに基づいて、アプリケーションデータを、前記ＰＤＵセッションに対応する前記第２システムのベアラ識別子に対応するＰＤＮ接続に切り替えることを決定するステップをさらに含む、請求項１３に記載の方法。
【請求項１５】
前記ＵＥが第１システムから第２システムに切り替え、前記ＰＤＵセッションに対応するＰＤＮ接続が削除された又は切り替えられない場合、第１システムの第１ＵＥポリシーの優先順位に基づいて、第２優先順位の第１システムのＵＥポリシー規則に対応するパラメータ組合せに対応するＰＤＵセッション及びＰＤＮ接続を選択し、選択された第２優先順位のＵＥポリシー規則に対応するパラメータ組合せに基づいて、対応する目標ＰＤＵセッションを決定し、アプリケーションデータを、前記目標ＰＤＵセッションに対応するＰＤＮ接続に切り替えるステップをさらに含む、請求項１３に記載の方法。
【請求項１６】
ＰＤＵセッションとＰＤＮ接続の対応関係を、第２システムのベアラ識別子を介して関連するステップをさらに含む、請求項１３−１５のいずれか１項に記載の方法。
【請求項１７】
ＵＥが切り替えを実行する前に、ネットワーク側によって送信された前記ＰＤＵセッションに対応する第２システムのＰＤＮ接続に対応する第２システムのベアラ識別子を保存するステップをさらに含む、請求項１６に記載の方法。
【請求項１８】
前記第１システムは５ＧＳシステムであり、前記第２システムはＥＰＳシステムである、請求項１−１７のいずれか１項に記載の方法。
【請求項１９】
ＵＥであって、前記ＵＥは、
第１システムがトラフィックを処理するとき、第１システムに適用される第１ＵＥポリシーを使用し、第２システムがトラフィックを処理するとき、第２システムに適用されるＵＥポリシーを使用する処理ユニットを備え、
前記第２システムに適用されるＵＥポリシーは、第１システムに適用される第１ＵＥポリシーと同じＵＥに適用されるＵＥ。
【請求項２０】
第２システムに適用されるＵＥポリシーは第２ＵＥポリシーであり、
前記第２ＵＥポリシーと第１ＵＥポリシーのパラメータはそれぞれ独立して定義される、請求項１９に記載のＵＥ。
【請求項２１】
第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある、請求項１９に記載のＵＥ。
【請求項２２】
前記第２ＵＥポリシーには、専用コアネットワーク（ＤＣＮ）識別子及びＡＰＮが構成され、
前記第１ＵＥポリシーのＤＣＮ識別子は前記第１ＵＥポリシーのＳ−ＮＳＳＡＩに対応し、前記第２ＵＥポリシーのＡＰＮは前記第１ＵＥポリシーのＤＮＮに対応する、請求項２１に記載のＵＥ。
【請求項２３】
第１システム上でネットワーク側によって構成される第１ＵＥポリシーを取得するとき、ネットワーク側によって送信された第２システムに適用される第２ＵＥポリシーを取得する通信ユニットをさらに備える、請求項２０又は２１に記載のＵＥ。
【請求項２４】
第２システムに接続されるとき、ネットワーク側によって配信された第２ＵＥポリシーを受信する通信ユニットをさらに備える、請求項２０又は２１に記載のＵＥ。
【請求項２５】
前記第２システムに適用される、構成されたポリシーは前記第１ＵＥポリシーと同じである、請求項１９に記載のＵＥ。
【請求項２６】
前記第２システムに適用される、構成されたポリシーは前記第１ＵＥポリシーと部分的に同じである、請求項１９に記載のＵＥ。
【請求項２７】
第２システムに適用されるＵＥポリシーは、前記ＤＮＮ及び／又はＳ−ＮＳＳＡＩパラメータが５ＧＳシステムの前記第１ＵＥポリシーと異なる以外、ほかのパラメータは前記第１ＵＥポリシーと同じであり、
及び、前記第１システムに適用される第１ＵＥポリシーのＤＮＮは第２システムのＵＥポリシーのＡＰＮに対応し、第１システムに適用される第１ＵＥポリシーのＳ−ＮＳＳＡＩはＥＰＳシステムのＵＥポリシーのＤＣＮ識別子に対応し、且つ第２システムに適用されるＵＥポリシーのＡＰＮと第１ＵＥポリシーのＤＮＮとの間のマッピング関係及び／又はＥＰＳシステムに適用されるＤＣＮ識別子と第１ＵＥポリシーのＳ−ＮＳＳＡＩとのマッピング関係を構成する、請求項２６に記載のＵＥ。
【請求項２８】
前記処理ユニットは、前記ＵＥが第２システムに接続されるとき、第２ＵＥポリシーを使用する、請求項２０に記載のＵＥ。
【請求項２９】
前記処理ユニットでは、前記ＵＥが第２システムに接続プロセスを介して接続されるとき、第２システムは、接続確認メッセージを介して前記第２ＵＥポリシーを受信する、請求項２８に記載のＵＥ。
【請求項３０】
前記処理ユニットは、前記ＵＥが第１システムで登録されるとき、第１ＵＥポリシーを用いて処理する、請求項１９に記載のＵＥ。
【請求項３１】
前記処理ユニットは、前記ＵＥがＰＤＵセッションの作成を完了すると、前記ＰＤＵセッションとＰＤＮ接続との対応関係を記憶する、請求項１９に記載のＵＥ。
【請求項３２】
前記処理ユニットでは、前記ＵＥが第１システムから第２システムに切り替えるとき、前記ＵＥは、第１システムの第１ＵＥポリシーに対応するＰＤＵセッションに基づいて、アプリケーションデータを、前記ＰＤＵセッションに対応する前記ＥＰＳベアラ識別子に対応するＰＤＮ接続に切り替えることを決定する、請求項３１に記載のＵＥ。
【請求項３３】
前記処理ユニットは、前記ＵＥが第１システムから第２システムに切り替え、前記ＰＤＵセッションに対応するＰＤＮ接続が削除された又は切り替えられない場合、第１システムの第１ＵＥポリシーの優先順位に基づき第２優先順位の第１システムのＵＥポリシー規則に対応するパラメータ組合せに対応するＰＤＵセッション及びＰＤＮ接続を選択し、選択された第２優先順位のＵＥポリシー規則に対応するパラメータ組合せに基づいて、対応する目標ＰＤＵセッションを決定し、アプリケーションデータを、前記目標ＰＤＵセッションに対応するＰＤＮ接続に切り替える、請求項３２に記載のＵＥ。
【請求項３４】
前記処理ユニットは、ＰＤＵセッションとＰＤＮ接続の対応関係を、第２システムのベアラ識別子を介して関連する、請求項３１−３３のいずれか１項に記載のＵＥ。
【請求項３５】
前記処理ユニットは、切り替えを実行する前に、ネットワーク側によって送信された前記ＰＤＵセッションに対応するＥＰＳ上のＰＤＮ接続に対応するＥＰＳベアラ識別子を保存する、請求項３４に記載のＵＥ。
【請求項３６】
前記第１システムは５ＧＳシステムであり、前記第２システムはＥＰＳシステムである、請求項１９−３５のいずれか１項に記載のＵＥ。
【請求項３７】
ＵＥであって、プロセッサと、プロセッサ上で実行可能なコンピュータプログラムを記憶するためのメモリとを備え、
前記プロセッサは、前記コンピュータプログラムを実行するとき、請求項１−１８のいずれか１項に記載の方法のステップを実行するＵＥ。
【請求項３８】
コンピュータ記憶媒体であって、前記コンピュータ記憶媒体には、コンピュータ実行可能命令が記憶されており、前記コンピュータ実行可能命令が実行されるとき、請求項１−１８のいずれか１項に記載の方法のステップを実現するコンピュータ記憶媒体。
【発明の詳細な説明】
【技術分野】
【０００１】
本発明は、情報処理の技術分野に関し、特に、システム間ポリシーの使用方法、ユーザ装置（ＵＥ）及びコンピュータ記憶媒体に関する。
【背景技術】
【０００２】
通信システムでは、ＵＥなどの端末装置のポリシーは、ＷＬＡＮＳＰ及びＵＲＳＰポリシーを含む。ＵＥ  ＰｏｌｉｃｙポリシーのＵＲＳＰポリシーは、様々なアプリケーションに様々なネットワークスライスを求めるように使用される。現在、ＵＲＳＰポリシーに関連する内容が策定されている。しかしながら、現在では、該ポリシーは５ＧＳシステム上のみ使用され、ＵＥが５ＧＳとＥＰＳの間で切り替えるとき、ＵＥがアプリケーションにどのようにバインディングするかは明確ではない。
【発明の概要】
【発明が解決しようとする課題】
【０００３】
上記技術的課題を解決するために、本発明の実施例は、システム間ポリシーの使用方法、ＵＥ、及びコンピュータ記憶媒体を提供する。
【課題を解決するための手段】
【０００４】
本発明の実施例はシステム間ポリシーの使用方法を提供し、前記方法は、
第１システムがトラフィックを処理するとき、第１システムに適用される第１ＵＥポリシーを使用するステップと、第２システムがトラフィックを処理するとき、第２システムに適用されるＵＥポリシーを使用するステップとを含み、
前記ＥＰＳシステムに適用されるＵＥポリシーは５ＧＳシステムに適用される第１ＵＥポリシーと同じＵＥに適用される。
【０００５】
本発明の実施例はＵＥを提供し、前記ＵＥは、
第１システムがトラフィックを処理するとき、第１システムに適用される第１ＵＥポリシーを使用し、第２システムがトラフィックを処理するとき、第２システムに適用されるＵＥポリシーを使用する処理ユニットを備え、
前記ＥＰＳシステムに適用されるＵＥポリシーは５ＧＳシステムに適用される第１ＵＥポリシーと同じＵＥに適用される。
【０００６】
本発明の実施例に係るＵＥは、プロセッサと、プロセッサ上で実行可能なコンピュータプログラムを記憶するためのメモリとを備え、
前記プロセッサは、前記コンピュータプログラムを実行するとき、上記方法のステップを実行する。
【０００７】
本発明の実施例はコンピュータ記憶媒体を提供し、前記コンピュータ記憶媒体には、コンピュータ実行可能命令が記憶され、前記コンピュータ実行可能命令が実行されるとき上記方法のステップを実現する。
【発明の効果】
【０００８】
本発明の実施例の技術案によれば、ＵＥが２つのシステムにおいてトラフィックを処理するためにそれぞれ異なるＵＥポリシーを使用することを決定することができ、それにより、ＵＥが異なるシステムにおいて処理を行うＵＥポリシーを明確にし、切り替えた後のＵＥのトラフィック処理の連続性を確保する。
【図面の簡単な説明】
【０００９】
【図１】本発明の実施例に係るシステム間ポリシーの使用方法のプロセス模式図である。
【図２】ＵＥに含まれるポリシー模式図である。
【図３】本発明の実施例のＵＥの構成構造の模式図である。
【図４】本発明の実施例のハードウェアの構造模式図である。
【発明を実施するための形態】
【００１０】
本発明の実施例の特徴及び技術的内容を詳細に理解するために、下面、図面を参照しながら本発明の実施例の実現を詳細に説明し、添付の図面は参照して説明するためのものに過ぎず、本発明の実施例を限定するものではない。
【００１１】
実施例１
本発明の実施例は、システム間ポリシーの使用方法を提供し、図１に示されるように、前記方法は、次のステップを含む。
【００１２】
ステップ１０１において、第１システムがトラフィックを処理するとき、第１システムに適用される第１ＵＥポリシーを使用する。
【００１３】
ステップ１０２において、第２システムがトラフィックを処理するとき、第２システムに適用されるＵＥポリシーを使用する。
【００１４】
前記ＥＰＳシステムに適用されるＵＥポリシーは５ＧＳシステムに適用される第１ＵＥポリシーと同じＵＥに適用される。
【００１５】
前記第１システムは５ＧＳシステムとして理解でき、第２システムはＥＰＳシステムとして理解できる。
【００１６】
なお、上記ステップ１０１とステップ１０２との間には前後順序の固定関係がなく、ステップ１０２をまず実行し、５ＧＳシステムに切り替えた後ステップ１０１を実行することができる。もちろん、５ＧＳシステムでステップ１０１を実行し、ＥＰＳに切り替えた後ステップ１０２を実行してもよい。
【００１７】
本実施例に係るポリシーは、５ＧＳとＥＰＳでのＵＲＳＰポリシーの取り決めであり得る。且つ、ＵＲＳＰでＤＣＮ−ＩＤ（ＤＣＮ−ＩＤはＥＰＳのプライベートネットワークで使用され、５ＧＳＳのＳ−ＮＳＳＡＩに対応する）の導入を配慮することができ、ＵＲＳＰにおいて、５ＧＳＳで使用される規則に対応するＥＰＳで使用される規則を入力することができる。
【００１８】
ＵＲＳＰポリシーについては次の例を参照することができ、例えば、ＵＲＳＰ  ｒｕｌｅ１（規則１）を含む。
【００１９】
ポリシー：１
トラフィックフィルター（Ｔｒａｆｆｉｃ  ｆｉｌｔｅｒ）：Ａｐｐ＝ＤｕｍｍｙＡｐｐ
直接アンインストール（Ｄｉｒｅｃｔ  ｏｆｆｌｏａｄ）：禁止Ｐｒｏｈｉｂｉｔｅｄ
スライス情報（Ｓｌｉｃｅ  Ｉｎｆｏ）：Ｓ−ＮＳＳＡＩ−ａ
連続性タイプ（Ｃｏｎｔｉｎｕｉｔｙ  Ｔｙｐｅｓ）：ＳＳＣ  Ｍｏｄｅ  ３
ＤＮＮｓ：ｉｎｔｅｒｎｅｔ
アクセスタイプ（Ａｃｃｅｓｓ  Ｔｙｐｅ）：３ＧＰＰアクセスａｃｃｅｓｓ。
【００２０】
ＵＲＳＰ  ｒｕｌｅ２（規則２）：
トラフィックフィルター（Ｔｒａｆｆｉｃ  ｆｉｌｔｅｒ）：Ａｐｐ（アプリケーション）＝Ａｐｐ１，Ａｐｐ２
Ｄｉｒｅｃｔ  ｏｆｆｌｏａｄ：Ｐｅｒｍｉｔｔｅｄ
Ｓｌｉｃｅ  Ｉｎｆｏ：Ｓ−ＮＳＳＡＩ−ａ
Ａｃｃｅｓｓ  Ｔｙｐｅ：Ｎｏｎ−３ＧＰＰ  ａｃｃｅｓｓ。
【００２１】
以下、表１と表２を組み合わせて、ＵＥがルータを選択するポリシーを示す。
【００２２】
次の表に示すように、
【表１】
2021518073.tif 000003
【００２３】
【表２】
2021518073.tif 000004
2021518073.tif 000005
2021518073.tif 000006
【００２４】
本実施例では、以下、第１システムが５ＧＳシステムで、第２システムがＥＰＳシステムであることを例として説明する。具体的には、ＥＰＳシステムに適用されるＵＥポリシーについては、以下の複数の構成方式がある。
【００２５】
方式１：第２システムに適用されるＵＥポリシーは第２ＵＥポリシーであり、
前記第２ＵＥポリシーと第１ＵＥポリシーのパラメータはそれぞれ独立して定義される。
【００２６】
つまり、別個の５ＧＳとＥＰＳ規則を用いる。ＥＰＳシステムに適用されるＵＥポリシーは第２ＵＥポリシーであり、前記第２ＵＥポリシーと第１ＵＥポリシーのパラメータはそれぞれ独立して定義される。
【００２７】
つまり、５ＧＳ  ＵＲＳＰ  Ｒｕｌｅに対応する１セットのＥＰＳ  Ｒｕｌｅを直接導入し、すべてのパラメータがそれぞれ独立して定義される。
【００２８】
方式２：第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある。
【００２９】
つまり、ＥＰＳシステムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある。
【００３０】
具体的には、前記第２ＵＥポリシーには、専用コアネットワーク（ＤＣＮ）識別子及びＡＰＮが構成され、
前記第１ＵＥポリシーのＤＣＮ識別子は前記第１ＵＥポリシーのＳ−ＮＳＳＡＩに対応し、前記第２ＵＥポリシーのＡＰＮは前記第１ＵＥポリシーのＤＮＮに対応する。
【００３１】
例えば、上記の表２に示すように、５ＧＳ  ＵＲＳＰ  Ｒｕｌｅ中のＴａｂｌｅ−１におけるＰｒｅｃｅｄｅｎｃｅとＴｒａｆｆｉｃ  Ｄｅｓｃｒｉｐｔｏｒを再利用すると、ＲＳＤに１セットのＥＰＳ用のパラメータを追加することに対して、対応関係は以下のとおりである。
【００３２】
ＳＳＣ  Ｍｏｄｅ  Ｓｅｌｅｃｔｉｏｎ→ＳＳＣ  Ｍｏｄｅ  Ｓｅｌｅｃｔｉｏｎ
Ｓ−ＮＳＳＡＩ→ＤＣＮ−ＩＤ
ＤＮＮ→ＡＰＮ
Ｎｏｎ−ｓｅａｍｌｅｓｓ  Ｏｆｆｌｏａｄ  ｉｎｄｉｃａｔｉｏｎ→Ｎｏｎ−ｓｅａｍｌｅｓｓ  Ｏｆｆｌｏａｄ  ｉｎｄｉｃａｔｉｏｎ
Ａｃｃｅｓｓ  Ｔｙｐｅ  ｐｒｅｆｅｒｅｎｃｅ→Ａｃｃｅｓｓ  Ｔｙｐｅ  ｐｒｅｆｅｒｅｎｃｅ
さらに、以上の１つ又は複数のパラメータが「空」に設定でき、すなわち、５ＧＳには設定される値があり、ＥＰＳには値がない。
【００３３】
第１ＵＥポリシー及び第２ＵＥポリシーの構成方法については、例えば、前記ＵＥが第１システム上でネットワーク側によって構成される第１ＵＥポリシーを取得するとき、前記ＵＥに対してネットワーク側によって送信された第２システムに適用される第２ＵＥポリシーを取得することを、さらに説明する必要がある。
【００３４】
つまり、前記ＵＥが５ＧＳシステム上でネットワーク側によって構成される５ＧＳシステムの第１ＵＥポリシーを取得するとき、前記ＵＥに対してネットワーク側によって送信されたＥＰＳシステムに適用される第２ＵＥポリシーを取得するステップを含んでもよい。
【００３５】
また、前記ＵＥが第２システムでアクセスするとき、ネットワーク側によって配信された第２ＵＥポリシーを受信する。
【００３６】
以上の独立したＥＰＳ  ＵＲＳＰポリシーの構成は以下の２種の方式を有する。
【００３７】
５ＧＳ上で５ＧＳ  ＵＲＳＰポリシーを構成すると同時に、ＥＰＳ  ＵＲＳＰポリシーを配信する方式、ＵＥがＥＰＳに接続されるとき、ＥＰＳ  ＵＲＳＰポリシーをＵＥに配信する方式である。
【００３８】
方式３：依然として１セットの５ＧＳのＵＲＳＰポリシーを使用する。
【００３９】
前記第２システムに適用される、構成されたポリシーは前記第１ＵＥポリシーと同じであり、すなわち、構成されたＥＰＳシステムに適用されるポリシーは前記第１ＵＥポリシーと同じである。
【００４０】
又は、前記第２システムに適用される、構成されたポリシーは前記第１ＵＥポリシーと部分的に同じであり、すなわち、構成されたＥＰＳシステムに適用されるポリシーは前記第１ＵＥポリシーと部分的に同じである。
【００４１】
例えば、ＤＮＮパラメータに対して５ＧＳ−ＥＰＳマッピング関係があり、他のパラメータがそのまま変更されず：ＤＮＮ→ＡＰＮである。
【００４２】
ＥＰＳシステムに適用されるＵＥポリシーは、前記ＤＮＮ及び／又はＳ−ＮＳＳＡＩパラメータが５ＧＳシステムの前記第１ＵＥポリシーと異なる以外、ほかのパラメータは前記第１ＵＥポリシーと同じであり、
及び、前記５ＧＳシステムに適用される第１ＵＥポリシーのＤＮＮはＥＰＳシステムのＵＥポリシーのＡＰＮに対応し、５ＧＳシステムに適用される第１ＵＥポリシーのＳ−ＮＳＳＡＩはＥＰＳシステムのＵＥポリシーのＤＣＮ識別子に対応し、且つＥＰＳシステムに適用されるＵＥポリシーのＡＰＮと第１ＵＥポリシーのＤＮＮとの間のマッピング関係及び／又はＥＰＳシステムに適用されるＤＣＮ識別子と第１ＵＥポリシーのＳ−ＮＳＳＡＩとのマッピング関係を構成する。
【００４３】
以下、ＵＥポリシーの使用を重点的に説明する。
【００４４】
前記ＵＥが第２システムに接続されるとき、第２ＵＥポリシーを使用する。
【００４５】
前記ＵＥが第２システムに接続プロセスを介して接続されるとき、第２システムは接続確認メッセージを介して前記第２ＵＥポリシーを受信し、つまり、前記ＵＥがＥＰＳシステムに接続されるとき、ＥＰＳは、接続確認メッセージを介して前記第２ＵＥポリシーを受信する。
【００４６】
具体的には、ＵＥがＥＰＳに接続され、ＵＥはＥＰＳのＵＲＳＰポリシーを使用し、５ＧＳのＵＲＳＰポリシーを使用する。
【００４７】
ＵＥはＥＰＳでＰＤＮ  Ｃｏｎｎｅｃｔｉｏｎを作成するとき、該ＰＤＮ  Ｃｏｎｎｅｃｔｉｏｎに対応するＳ−ＮＳＳＡＩ及び／又はＤＮＮを返信し、返信されたメッセージにＤＮＮが含まれていると、ＵＥは直接的に使用し、ＤＮＮが返信されていないと、ＵＥは自動的にマッピング処理を行い、対応するＡＰＮをマッピングし、ＵＥは、５ＧＳで使用されたＵＲＳＰポリシーに基づき、特定のデータストリームのためにＰＤＮ  Ｃｏｎｎｅｃｔｉｏｎを選択してデータを送信する。
【００４８】
前記ＵＥが５ＧＳシステムに登録されるとき、第１ＵＥポリシーを用いて処理する。
【００４９】
切り替え中のトラフィック連続性を確保し、５ＧＳ→ＥＰＳのＥＰＳに切り替えた後のＵＲＳＰの実行方式に対して、以下を使用する。
【００５０】
前記ＵＥがＰＤＵセッションの作成を完了すると、前記ＰＤＵセッションとＰＤＮ接続との対応関係を記憶する。ＵＥがＳ−ＮＳＳＡＩを使用してＰＤＵ  Ｓｅｓｓｉｏｎの作成を完了した後、ネットワーク側によってＵＥに配信されたＥＰＳ  Ｂｅａｒｅｒ  ＩＤを記憶し、且つ、該ＰＤＵ  Ｓｅｓｓｉｏｎに対応するＰＤＮ  Ｃｏｎｎｅｃｔｉｏｎの識別子としてＥＰＳ  ＢｅａｒｅｒＩＤを含むことができる。
【００５１】
なお、ＰＤＵセッションとＰＤＮ接続の対応関係を、第２システムのベアラ識別子を介して関連し、
ベアラ識別子はデフォルトのベアラ識別子であることを理解する必要がある。
【００５２】
具体的には、ＵＥが５ＧＳでＰＤＵセッションを作成した後、前記ＰＤＵセッションに対応するＥＰＳでのＰＤＮ接続に対応するＥＰＳデフォルトのベアラ識別子を保存する。切り替えを実行する前に、ネットワーク側によって送信された前記ＰＤＵセッションに対応する第２システム上のＰＤＮ接続に対応する第２システム上のデフォルトのベアラ識別子を保存する。
【００５３】
前記ＵＥが５ＧＳシステムからＥＰＳシステムに切り替えるとき、前記ＵＥは、５ＧＳの第１ＵＥポリシーに対応するＰＤＵセッションに基づいて、アプリケーションデータを、前記ＰＤＵセッションに対応する前記ＥＰＳベアラ識別子に対応するＰＤＮ接続に切り替えることを決定する。つまり、５ＧＳ→ＥＰＳの切り替えが発生するとき、ＵＥは、５ＧＳ場合のＵＲＳＰポリシーに対応するＰＤＵ  Ｓｅｓｓｉｏｎに基づいて、アプリケーションデータを、元のＰＤＵ  Ｓｅｓｓｉｏｎに対応するＥＰＳ  Ｂｅａｒｅｒ  ＩＤに対応するＰＤＮ  Ｃｏｎｎｅｃｔｉｏｎに切り替えることを決定する。
【００５４】
また、前記ＵＥが第１システムから第２システムに切り替え、前記ＰＤＵセッションに対応するＰＤＮ接続が削除された又は切り替えられない場合、第１システムの第１ＵＥポリシーの優先順位に基づき第２優先順位の第１システムのＵＥポリシー規則に対応するパラメータ組合せに対応するＰＤＵセッション及びＰＤＮ接続を選択し、選択された第２優先順位のＵＥポリシー規則に対応するパラメータ組合せに基づいて、対応する目標ＰＤＵセッションを決定し、アプリケーションデータを、前記目標ＰＤＵセッションに対応するＰＤＮ接続に切り替える場合もある。
【００５５】
すなわち、前記ＵＥが５ＧＳシステムからＥＰＳシステムに切り替え、前記ＰＤＵセッションに対応するＰＤＮ接続が削除された又は切り替えられない場合、５ＧＳの第１ＵＥポリシーの優先順位に基づき第２優先順位の５ＧＳのＵＥポリシーを選択し、選択された第２優先順位のＵＥポリシーに基づいて対応する目標ＰＤＵセッションを決定し、アプリケーションデータを、前記目標ＰＤＵセッションに対応するＰＤＮ接続に切り替える。つまり、切り替え中で元のＰＤＵ  ＳｅｓｓｉｏｎのＰＤＮ  Ｃｏｎｎｅｃｔｉｏｎが削除された場合、ＵＥは、ＵＲＳＰにおけるＲｕｌｅ  Ｐｒｅｃｅｄｅｎｃｅ（優先順位）に基づき第２優先順位のＵＲＳＰ  Ｒｕｌｅパラメータに対応するＰＤＵ  Ｓｅｓｓｉｏｎに対応するＰＤＮ  Ｃｏｎｎｅｃｔｉｏｎを見つけ、該アプリケーションのデータストリームを該ＰＤＮ  Ｃｏｎｎｅｃｔｉｏｎに送信する。
【００５６】
前記第２優先順位の第１システムのＵＥポリシー規則に対応するパラメータ組合せは、以下のとおり理解できることを理解する必要がある。現在、複数の優先順位に対応する複数のＵＥポリシー規則（各々のポリシー規則がパラメータ組合せに対応できる）が存在し、次に現在の複数の優先順位から優先順位の最も高いポリシー規則を選び、該ポリシー規則に対応するＰＤＵセッション及びＰＤＮ接続はアプリケーションデータが切り替え可能なＰＤＮ接続であるか否かを判断し、そうである場合、該ポリシー規則を第２優先順位の第１システムのＵＥポリシー規則に対応するパラメータ組合せとして理解でき、そうでない場合は、次に優先順位の高いポリシー規則を下に選べ、このように類推して、アプリケーションデータが切り替え可能なＰＤＮ接続を選びるまで、選べられる第２優先順位の第１システムのＵＥポリシー規則に対応するパラメータ組合せを決定する。
【００５７】
ポリシーとポリシー規則の間の関係については、図２を参照でき、ＵＥポリシーは静的ポリシーと動的ポリシーを含み、本実施例では、動的ポリシーを対象とし、動的ポリシーはＷＬＡＮＳＰ及びＵＲＳＰを含み、ＵＲＳＰは、優先度、トラフィック記述、ＲＳＤリストなどの様々な規則を含んでもよく、ＲＳＤリストは、優先度、ＳＳＣモード、ＤＮＮなどの様々なパラメータ組合せを含んでもよく、ここで詳しく説明しない。
【００５８】
第２優先順位とは、ＵＥは、現在のＰＤＵ  Ｓｅｓｓｉｏｎが切り替えられない場合に、上記のデータストリームを、該ＴｒａｆｆｉｃＤｅｓｃｒｉｐｔｏｒに対応するＲｕｌｅでの他のパラメータ組合せに選択することであり、同一のＲＳＤ内の第２パラメータ組合せ、他のＲＳＤ内のパラメータ組合せを含む。
【００５９】
優先順位の定義について、ＵＲＳＰ  ＲｕｌｅのＰｒｅｃｅｄｅｎｃｅは、Ｒｕｌｅが使用される前後順序を決定し、複数のＲｕｌｅのＴｒａｆｆｉｃ  Ｄｅｓｃｒｉｐｔｏｒによって記述された内容が重なる場合、重なった部分のデータストリームのＰＤＵ  Ｓｅｓｓｉｏｎの伝達が、Ｐｒｅｃｅｄｅｎｃｅ優先順位のより高いＵＲＳＰ  Ｒｕｌｅによって完了されることは好ましい。
【００６０】
最後、本実施例では、５ＧＳからＥＰＳシステムへ切り替える場合のトラフィック処理方式を主に説明するが、ＥＰＳ→５ＧＳの切り替えも同じメカニズムであり、詳しく説明しないことを指摘する。
【００６１】
以上により、上記方案を採用すると、ＵＥが５ＧＳシステム及びＥＰＳシステムにおいてトラフィックを処理するためにそれぞれ異なるＵＥポリシーを使用することを決定することができ、それにより、ＵＥが異なるシステムにおいて処理を行うＵＥポリシーを明確にし、切り替えた後のＵＥトラフィック処理の連続性を確保する。
【００６２】
実施例２
本発明の実施例はＵＥを提供し、図３に示されるように、
第１システムがトラフィックを処理するとき、第１システムに適用される第１ＵＥポリシーを使用し、第２システムがトラフィックを処理するとき、第２システムに適用されるＵＥポリシーを使用する処理ユニット２１を備え、
前記第２システムに適用されるＵＥポリシーは、第１システムに適用される第１ＵＥポリシーと同じＵＥに適用される。
【００６３】
前記第１システムは５ＧＳシステムとして理解でき、第２システムはＥＰＳシステムとして理解できる。
【００６４】
本実施例に係るポリシーは、５ＧＳとＥＰＳでのＵＲＳＰポリシーの取り決めであり得る。且つ、ＵＲＳＰでＤＣＮ−ＩＤ（ＤＣＮ−ＩＤはＥＰＳのプライベートネットワークで使用され、５ＧＳＳのＳ−ＮＳＳＡＩに対応する）の導入を配慮することができ、ＵＲＳＰにおいて、５ＧＳＳで使用される規則に対応するＥＰＳで使用される規則を入力することができる。
【００６５】
ＵＲＳＰポリシーについては次の例を参照することができ、例えば、ＵＲＳＰ  ｒｕｌｅ１（規則１）を含む。
【００６６】
ポリシー：１
トラフィックフィルター（Ｔｒａｆｆｉｃ  ｆｉｌｔｅｒ）：Ａｐｐ＝ＤｕｍｍｙＡｐｐ
直接アンインストール（Ｄｉｒｅｃｔ  ｏｆｆｌｏａｄ）：禁止Ｐｒｏｈｉｂｉｔｅｄ
スライス情報（Ｓｌｉｃｅ  Ｉｎｆｏ）：Ｓ−ＮＳＳＡＩ−ａ
連続性タイプ（Ｃｏｎｔｉｎｕｉｔｙ  Ｔｙｐｅｓ）：ＳＳＣ  Ｍｏｄｅ  ３
ＤＮＮｓ：ｉｎｔｅｒｎｅｔ
アクセスタイプ（Ａｃｃｅｓｓ  Ｔｙｐｅ）：３ＧＰＰアクセスａｃｃｅｓｓ。
【００６７】
ＵＲＳＰ  ｒｕｌｅ  ２（規則２）：
トラフィックフィルター（Ｔｒａｆｆｉｃ  ｆｉｌｔｅｒ）：Ａｐｐ（アプリケーション）＝Ａｐｐ１，Ａｐｐ２
Ｄｉｒｅｃｔ  ｏｆｆｌｏａｄ：Ｐｅｒｍｉｔｔｅｄ
Ｓｌｉｃｅ  Ｉｎｆｏ：Ｓ−ＮＳＳＡＩ−ａ
Ａｃｃｅｓｓ  Ｔｙｐｅ：Ｎｏｎ−３ＧＰＰ  ａｃｃｅｓｓ。
【００６８】
本実施例では、以下、第１システムが５ＧＳシステムで、第２システムがＥＰＳシステムであることを例として説明する。具体的には、ＥＰＳシステムに適用されるＵＥポリシーについては、以下の複数の構成方式がある。
【００６９】
方式１：第２システムに適用されるＵＥポリシーは第２ＵＥポリシーであり、
前記第２ＵＥポリシーと第１ＵＥポリシーのパラメータはそれぞれ独立して定義される。
【００７０】
つまり、別個の５ＧＳとＥＰＳ規則を用いる：ＥＰＳシステムに適用されるＵＥポリシーは第２ＵＥポリシーであり、前記第２ＵＥポリシーと第１ＵＥポリシーのパラメータはそれぞれ独立して定義される。
【００７１】
つまり、５ＧＳ  ＵＲＳＰ  Ｒｕｌｅに対応する１セットのＥＰＳ  Ｒｕｌｅを直接導入し、すべてのパラメータがそれぞれ独立して定義される。
【００７２】
方式２：第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある。
【００７３】
つまり、ＥＰＳシステムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある。
【００７４】
具体的には、前記第２ＵＥポリシーには、専用コアネットワーク（ＤＣＮ）識別子及びＡＰＮが構成され、
前記第１ＵＥポリシーのＤＣＮ識別子は前記第１ＵＥポリシーのＳ−ＮＳＳＡＩに対応し、前記第２ＵＥポリシーのＡＰＮは前記第１ＵＥポリシーのＤＮＮに対応する。
【００７５】
例えば、上記表２を参照して、５ＧＳ  ＵＲＳＰ  Ｒｕｌｅ中のＴａｂｌｅ−１におけるＰｒｅｃｅｄｅｎｃｅとＴｒａｆｆｉｃ  Ｄｅｓｃｒｉｐｔｏｒを再利用すると、ＲＳＤに１セットのＥＰＳ用のパラメータを追加することに対して、対応関係は以下のとおりである。
【００７６】
ＳＳＣ  Ｍｏｄｅ  Ｓｅｌｅｃｔｉｏｎ→ＳＳＣ  Ｍｏｄｅ  Ｓｅｌｅｃｔｉｏｎ
Ｓ−ＮＳＳＡＩ→ＤＣＮ−ＩＤ
ＤＮＮ→ＡＰＮ
Ｎｏｎ−ｓｅａｍｌｅｓｓ  Ｏｆｆｌｏａｄ  ｉｎｄｉｃａｔｉｏｎ→Ｎｏｎ−ｓｅａｍｌｅｓｓ  Ｏｆｆｌｏａｄ  ｉｎｄｉｃａｔｉｏｎ
Ａｃｃｅｓｓ  Ｔｙｐｅ  ｐｒｅｆｅｒｅｎｃｅ→Ａｃｃｅｓｓ  Ｔｙｐｅ  ｐｒｅｆｅｒｅｎｃｅ
なお、以上の１つ又は複数のパラメータが「空」に設定でき、すなわち、５ＧＳには設定される値があり、ＥＰＳには値がない。
【００７７】
第１ＵＥポリシー及び第２ＵＥポリシーの構成方法については、例えば、前記ＵＥは、
前記ＵＥが第１システム上でネットワーク側によって構成される第１ＵＥポリシーを取得するとき、前記ＵＥのに対してネットワーク側によって送信された第２システムに適用される第２ＵＥポリシーを取得する通信ユニット２２をさらに備えることを、さらに説明する必要がある。つまり、前記ＵＥが５ＧＳシステム上でネットワーク側によって構成される５ＧＳシステムの第１ＵＥポリシーを取得するとき、前記ＵＥに対してネットワーク側によって送信されたＥＰＳシステムに適用される第２ＵＥポリシーを取得する。前記ＵＥがＥＰＳシステムに接続されるとき、ネットワーク側によって配信された第２ＵＥポリシーを受信する。
【００７８】
つまり、以上の独立したＥＰＳ  ＵＲＳＰポリシーの構成は２種の方式を有する。
【００７９】
５ＧＳシステムで５ＧＳシステムの第１ＵＥポリシーを構成するとき、前記ＵＥのために送信されたＥＰＳシステムに適用される第２ＵＥポリシーを取得し、また、第２システムでアクセスするとき、第２ＵＥポリシーを配信する。
【００８０】
方式３：依然として１セットの５ＧＳのＵＲＳＰポリシーを使用する。
【００８１】
構成されたＥＰＳシステムに適用されるポリシーは前記第１ＵＥポリシーと同じである。
【００８２】
又は、構成されたＥＰＳシステムに適用されるポリシーは前記第１ＵＥポリシーと部分的に同じである。例えば、ＤＮＮパラメータに対して５ＧＳ−ＥＰＳマッピング関係があり、他のパラメータがそのまま変更されず、ＤＮＮ→ＡＰＮである。
【００８３】
ＥＰＳシステムに適用されるＵＥポリシーは、前記ＤＮＮ及び／又はＳ−ＮＳＳＡＩパラメータが５ＧＳシステムの前記第１ＵＥポリシーと異なる以外、ほかのパラメータは前記第１ＵＥポリシーと同じであり、
及び、前記５ＧＳシステムに適用される第１ＵＥポリシーのＤＮＮはＥＰＳシステムのＵＥポリシーのＡＰＮに対応し、５ＧＳシステムに適用される第１ＵＥポリシーのＳ−ＮＳＳＡＩはＥＰＳシステムのＵＥポリシーのＤＣＮ識別子に対応し、且つＥＰＳシステムに適用されるＵＥポリシーのＡＰＮと第１ＵＥポリシーのＤＮＮとの間のマッピング関係及び／又はＥＰＳシステムに適用されるＤＣＮ識別子と第１ＵＥポリシーのＳ−ＮＳＳＡＩとのマッピング関係を構成する。
【００８４】
以下、ＵＥポリシーの使用を重点的に説明する。
【００８５】
前記ＵＥが第２システムに接続されるとき、第２ＵＥポリシーを使用する。
【００８６】
前記ＵＥが第２システムに接続プロセスを介して接続されるとき、第２システムは接続確認メッセージを介して前記第２ＵＥポリシーを受信する。
【００８７】
前記ＵＥがＥＰＳシステムに接続されるとき、ＥＰＳは、接続確認メッセージを介して前記第２ＵＥポリシーを受信する。
【００８８】
具体的には、ＵＥがＥＰＳに接続され、ＵＥはＥＰＳのＵＲＳＰポリシーを使用し、５ＧＳのＵＲＳＰポリシーを使用する。
【００８９】
ＵＥはＥＰＳでＰＤＮ  Ｃｏｎｎｅｃｔｉｏｎを作成するとき、該ＰＤＮ  Ｃｏｎｎｅｃｔｉｏｎに対応するＳ−ＮＳＳＡＩ及び／又はＤＮＮを返信し、返信されたメッセージにＤＮＮが含まれていると、ＵＥは直接的に使用し、ＤＮＮが返信されていないと、ＵＥは自動的にマッピング処理を行い、対応するＡＰＮをマッピングし、ＵＥは、５ＧＳで使用されたＵＲＳＰポリシーに基づき、特定のデータストリームのためにＰＤＮ  Ｃｏｎｎｅｃｔｉｏｎを選択してデータを送信する。
【００９０】
前記ＵＥが５ＧＳシステムに登録されるとき、第１ＵＥポリシーを用いて処理する。
【００９１】
切り替え中のトラフィック連続性を確保し、５ＧＳ→ＥＰＳのＥＰＳに切り替えた後のＵＲＳＰの実行方式に対して、以下を使用する。
【００９２】
前記ＵＥがＰＤＵセッションの作成を完了すると、前記ＰＤＵセッションとＰＤＮ接続との対応関係を記憶する。ＵＥがＳ−ＮＳＳＡＩを使用してＰＤＵ  Ｓｅｓｓｉｏｎの作成を完了した後、ネットワーク側によってＵＥに配信されたＥＰＳ  Ｂｅａｒｅｒ  ＩＤを記憶し、且つ、該ＰＤＵ  Ｓｅｓｓｉｏｎに対応するＰＤＮ  Ｃｏｎｎｅｃｔｉｏｎの識別子としてデフォルトのＥＰＳ  ＢｅａｒｅｒＩＤをさらに含むことができる。
【００９３】
なお、ＰＤＵセッションとＰＤＮ接続の対応関係を、第２システムのベアラ識別子を介して関連する。
【００９４】
ベアラ識別子はデフォルトのベアラ識別子として理解でき、具体的には、ＵＥが５ＧＳでＰＤＵセッションを作成した後、前記ＰＤＵセッションに対応するＥＰＳでのＰＤＮ接続に対応するＥＰＳデフォルトのベアラ識別子を保存する。切り替えを実行する前に、ネットワーク側によって送信された前記ＰＤＵセッションに対応する第２システム上のＰＤＮ接続に対応する第２システム上のデフォルトのベアラ識別子を保存する。
【００９５】
前記ＵＥが５ＧＳシステムからＥＰＳシステムに切り替えるとき、前記ＵＥは、５ＧＳの第１ＵＥポリシーに対応するＰＤＵセッションに基づいて、アプリケーションデータを、前記ＰＤＵセッションに対応する前記ＥＰＳベアラ識別子に対応するＰＤＮ接続に切り替えることを決定する。つまり、５ＧＳ→ＥＰＳの切り替えが発生するとき、ＵＥは、５ＧＳ場合のＵＲＳＰポリシーに対応するＰＤＵ  Ｓｅｓｓｉｏｎに基づいて、アプリケーションデータを、元のＰＤＵ  Ｓｅｓｓｉｏｎに対応するＥＰＳ  Ｂｅａｒｅｒ  ＩＤに対応するＰＤＮ  Ｃｏｎｎｅｃｔｉｏｎに切り替えることを決定する。
【００９６】
また、前記ＵＥが第１システムから第２システムに切り替え、前記ＰＤＵセッションに対応するＰＤＮ接続が削除された又は切り替えられない場合、第１システムの第１ＵＥポリシーの優先順位に基づき第２優先順位の第１システムのＵＥポリシー規則に対応するパラメータ組合せに対応するＰＤＵセッション及びＰＤＮ接続を選択し、選択された第２優先順位のＵＥポリシー規則に対応するパラメータ組合せに基づいて、対応する目標ＰＤＵセッションを決定し、アプリケーションデータを、前記目標ＰＤＵセッションに対応するＰＤＮ接続に切り替える場合もある。
【００９７】
すなわち、前記ＵＥが５ＧＳシステムからＥＰＳシステムに切り替え、前記ＰＤＵセッションに対応するＰＤＮ接続が削除された又は切り替えられない場合、５ＧＳの第１ＵＥポリシーの優先順位に基づき第２優先順位の５ＧＳのＵＥポリシーを選択し、選択された第２優先順位のＵＥポリシーに基づいて対応する目標ＰＤＵセッションを決定し、アプリケーションデータを、前記目標ＰＤＵセッションに対応するＰＤＮ接続に切り替える。つまり、切り替え中で元のＰＤＵ  ＳｅｓｓｉｏｎのＰＤＮ  Ｃｏｎｎｅｃｔｉｏｎが削除された場合、ＵＥは、ＵＲＳＰにおけるＲｕｌｅ  Ｐｒｅｃｅｄｅｎｃｅ（優先順位）に基づき第２優先順位のＵＲＳＰ  Ｒｕｌｅパラメータに対応するＰＤＵ  Ｓｅｓｓｉｏｎに対応するＰＤＮ  Ｃｏｎｎｅｃｔｉｏｎを見つけ、該アプリケーションのデータストリームを該ＰＤＮ  Ｃｏｎｎｅｃｔｉｏｎに送信する。
【００９８】
前記第２優先順位の第１システムのＵＥポリシー規則に対応するパラメータ組合せは、以下のとおり理解できることを理解する必要がある。現在、複数の優先順位に対応する複数のＵＥポリシー規則（各々のポリシー規則がパラメータ組合せに対応できる）が存在し、次に現在の複数の優先順位から優先順位の最も高いポリシー規則を選び、該ポリシー規則に対応するＰＤＵセッション及びＰＤＮ接続はアプリケーションデータが切り替え可能なＰＤＮ接続であるか否かを判断し、そうである場合、該ポリシー規則を第２優先順位の第１システムのＵＥポリシー規則に対応するパラメータ組合せとして理解でき、そうでない場合は、次に優先順位の高いポリシー規則を下に選べ、このように類推して、アプリケーションデータが切り替え可能なＰＤＮ接続を選びるまで、選べられる第２優先順位の第１システムのＵＥポリシー規則に対応するパラメータ組合せを決定する。
【００９９】
ポリシーとポリシー規則の間の関係については、図２を参照でき、ＵＥポリシーは静的ポリシーと動的ポリシーを含み、本実施例では、動的ポリシーを対象とし、動的ポリシーはＷＬＡＮＳＰ及びＵＲＳＰを含み、ＵＲＳＰは、優先度、トラフィック記述、ＲＳＤリストなどの様々な規則を含んでもよく、ＲＳＤリストは、優先度、ＳＳＣモード、ＤＮＮなどの様々なパラメータ組合せを含んでもよく、ここで詳しく説明しない。第２優先順位とは、ＵＥは、現在のＰＤＵ  Ｓｅｓｓｉｏｎが切り替えられない場合に、上記のデータストリームを、該ＴｒａｆｆｉｃＤｅｓｃｒｉｐｔｏｒに対応するＲｕｌｅでの他のパラメータ組合せに選択することであり、同一のＲＳＤ内の第２パラメータ組合せ、他のＲＳＤ内のパラメータ組合せを含む。
【０１００】
優先順位の定義について、ＵＲＳＰ  ＲｕｌｅのＰｒｅｃｅｄｅｎｃｅは、Ｒｕｌｅが使用される前後順序を決定し、複数のＲｕｌｅのＴｒａｆｆｉｃ  Ｄｅｓｃｒｉｐｔｏｒによって記述された内容が重なる場合、重なった部分のデータストリームのＰＤＵ  Ｓｅｓｓｉｏｎの伝達が、Ｐｒｅｃｅｄｅｎｃｅ優先順位のより高いＵＲＳＰ  Ｒｕｌｅによって完了されることは好ましい。
【０１０１】
最後、本実施例では５ＧＳからＥＰＳシステムへ切り替える場合のトラフィック処理方式を主に説明するが、ＥＰＳ→５ＧＳの切り替えも同じメカニズムであり、詳しく説明しないことを指摘する。
【０１０２】
以上により、上記方案を採用すると、ＵＥが５ＧＳシステム及びＥＰＳシステムにおいてトラフィックを処理するためにそれぞれ異なるＵＥポリシーを使用することを決定することができ、それにより、ＵＥが異なるシステムにおいて処理を行うＵＥポリシーを明確にし、切り替えた後のＵＥトラフィック処理の連続性を確保する。
【０１０３】
本発明の実施例は、ユーザ装置、又は受信側装置のハードウェア構成構造をさらに提供し、図４に示されるように、少なくとも１つのプロセッサ３１、メモリ３２、少なくとも１つのネットワークインタフェース３３を備える。各ユニットがバスシステム３４を介して一体型に結合される。バスシステム３４はこれらのユニットの間の接続通信を実現することを理解できる。バスシステム３４は、データバスを備える以外、電源バス、制御バス及び状態信号バスをさらに備える。明瞭に説明するために、図４では、各種のバスをすべてバスシステム３４としてマークしている。
【０１０４】
本発明の実施例におけるメモリ３２は、揮発性メモリ又は不揮発性メモリであってもよく、又は揮発性メモリと不揮発性メモリの両方を含んでもよいことを理解できる。
【０１０５】
いくつかの実施形態では、メモリ３２は、実行可能モジュール又はデータ構造、又はそれらのサブセット、又はそれらの拡張セット：
オペレーティングシステム３２１とアプリケーションプログラム３２２などの要素を記憶する。
【０１０６】
前記プロセッサ３１は、上記実施例１の方法のステップを処理できるように構成され、ここで詳しく説明しない。
【０１０７】
本発明の実施例はコンピュータ記憶媒体を提供し、前記コンピュータ記憶媒体には、コンピュータ実行可能命令が記憶されており、前記コンピュータ実行可能命令が実行されるとき、上記実施例１の方法のステップを実行する。
【０１０８】
本発明の実施例に係る上記装置は、ソフトウェア機能モジュールの形式で実装され、独立した製品として販売又は使用される場合、コンピュータリーダ可読記憶媒体に記憶できる。このような知見に基づき、本発明の実施例の技術案では、本質的に、又は従来技術に寄与する部分は、ソフトウェア製品の形式で見現化でき、該コンピュータソフトウェア製品は、記憶媒体に記憶され、コンピュータ装置（パーソナルコンピュータ、サーバ、又はネットワーク装置などであってもよい）に本発明のそれぞれの実施例に記載の方法の全部又は一部のステップを実行させるための複数の命令を含む。上記的記憶媒体は、Ｕディスク、モバイルディスク、読み出し専用メモリ（ＲＯＭ、Ｒｅａｄ  Ｏｎｌｙ  Ｍｅｍｏｒｙ）、磁気ディスク又は光ディスクなど、プログラムコードを記憶可能な様々な媒体を含む。以上、本発明の実施例は、いかなる特定のハードウェアとソフトウェアの組み合わせに制限されない。
【０１０９】
それに対応して、本発明の実施例は、コンピュータ記憶媒体をさらに提供し、コンピュータプログラムが記憶されており、該コンピュータプログラムは、本発明の実施例のデータスケジューリング方法を実行するように構成される。
【０１１０】
本発明の好ましい実施例が例示の目的で開示されたが、当業者は、様々な改良、追加及び置換も可能であり、従って、本発明の範囲は上記実施例に限定されるべきではないことを理解できるだろう。
【図１】
2021518073.tif 000007
【図２】
2021518073.tif 000008
【図３】
2021518073.tif 000009
【図４】
2021518073.tif 000010
【手続補正書】
【提出日】令和3年2月8日(2021.2.8)
【手続補正１】
【補正対象書類名】特許請求の範囲
【補正対象項目名】全文
【補正方法】変更
【補正の内容】
【特許請求の範囲】
【請求項１】
システム間ポリシーの使用方法であって、
第１システムでトラフィックを処理するとき、第１システムに適用される第１ユーザ機器（ＵＥ）ポリシーを使用するステップと、第２システムでトラフィックを処理するとき、第２システムに適用されるＵＥポリシーを使用するステップとを含み、
前記第２システムに適用されるＵＥポリシーは、第１システムに適用される第１ＵＥポリシーと同じＵＥに適用される、前記システム間ポリシーの使用方法。
【請求項２】
前記第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある、
請求項１に記載の方法。
【請求項３】
前記システム間ポリシーの使用方法は、
前記ＵＥが、第１システム上でネットワーク側によって構成される第１ＵＥポリシーを取得するとき、前記ＵＥに対してネットワーク側によって送信された第２システムに適用される第２ＵＥポリシーを取得するステップをさらに含む、
請求項２に記載の方法。
【請求項４】
前記システム間ポリシーの使用方法は、
前記ＵＥが第２システムでアクセスされるとき、ネットワーク側によって配信された第２ＵＥポリシーを受信するステップをさらに含む、
請求項２に記載の方法。
【請求項５】
前記ＵＥが第２システムに接続されるとき、第２ＵＥポリシーを使用するステップをさらに含む、
請求項２に記載の方法。
【請求項６】
前記第１システムは、第５世代システム（５ＧＳ）であり、前記第２システムは、進化したパケットシステム（ＥＰＳ）である、
請求項１−５のいずれか１項に記載の方法。
【請求項７】
前記ＵＥポリシーは、ユーザ機器ルーティング選択ポリシー（ＵＲＳＰ）であり、前記第１ＵＥポリシーのルールにおける優先パラメータは、前記第２ＵＥポリシーのルールにおける優先パラメータと同じであり、前記第１ＵＥポリシーのルールにおけるトラフィック記述子パラメータは、前記第２ＵＥポリシーのルールにおけるトラフィック記述子パラメータと同じである、
請求項２に記載の方法。
【請求項８】
前記第１ＵＥポリシーのルールは、第１のルート選択記述子（ＲＳＤ）を有し、前記第２ＵＥポリシーのルールは、第２のＲＳＤを有し、第１のＲＳＤのパラメータの少なくとも一部と第２のＲＳＤのパラメータの少なくとも一部の間にマッピング関係がある、
請求項２に記載の方法。
【請求項９】
ユーザ機器（ＵＥ）であって、
第１システムがトラフィックを処理するとき、第１システムに適用される第１ＵＥポリシーを使用し、第２システムがトラフィックを処理するとき、第２システムに適用されるＵＥポリシーを使用する処理ユニットを備え、
前記第２システムに適用されるＵＥポリシーは、第１システムに適用される第１ＵＥポリシーと同じＵＥに適用されるＵＥ。
【請求項１０】
第２システムに適用されるＵＥポリシーは第２ＵＥポリシーであり、
前記第２ＵＥポリシーと前記第１ＵＥポリシーは少なくとも一部のパラメータが異なり、且つ前記第２ＵＥポリシーと前記第１ＵＥポリシーの前記少なくとも一部のパラメータの間に対応関係がある、請求項９に記載のＵＥ。
【請求項１１】
第１システム上でネットワーク側によって構成される第１ＵＥポリシーを取得するとき、ネットワーク側によって送信された第２システムに適用される第２ＵＥポリシーを取得する通信ユニットをさらに備える、請求項１０に記載のＵＥ。
【請求項１２】
第２システムに接続されるとき、ネットワーク側によって配信された第２ＵＥポリシーを受信する通信ユニットをさらに備える、請求項１０に記載のＵＥ。
【請求項１３】
前記第１システムは、第５世代システム（５ＧＳ）システムであり、前記第２システムは、進化したパケットシステム（ＥＰＳ）である、
請求項９ないし１２のいずれか１項に記載のＵＥ。
【請求項１４】
前記ＵＥポリシーは、ユーザ機器ルーティング選択ポリシー（ＵＲＳＰ）であり、前記第１ＵＥポリシーのルールにおける優先パラメータは、前記第２ＵＥポリシーのルールにおける優先パラメータと同じであり、前記第１ＵＥポリシーのルールにおけるトラフィック記述子パラメータは、前記第２ＵＥポリシーのルールにおけるトラフィック記述子パラメータと同じである、
請求項１１に記載のＵＥ。
【請求項１５】
前記第１ＵＥポリシーのルールは、第１の経路選択記述子（ＲＳＤ）を有し、前記第２ＵＥポリシーのルールは、第２のＲＳＤを有し、第１のＲＳＤのパラメータの少なくとも一部と第２のＲＳＤのパラメータの少なくとも一部の間にマッピング関係がある、
請求項２に記載の方法。
【国際調査報告】
2021518073.tif 000011
2021518073.tif 000012
2021518073.tif 000013
2021518073.tif 000014